(57)【要約】【課題】  居住者が双方向の通話を誤って終了してしまった場合でも、来訪者の音声や映像に基づいて、居住者が通話を速やかに再開できるインターホンシステムを提供する。【解決手段】  このインターホンシステム１は、玄関子機２０の呼出ボタン２１の操作を契機に、インターホン親機１０と玄関子機２０とが双方向の通話を行い、インターホン親機１０の終話ボタン１２の操作を契機に、双方向の通話を終了する。終話ボタン１２の操作から所定時間が経過するまでの間、インターホン親機１０のスピーカ１４およびモニタ１７と、玄関子機２０のマイク２３およびカメラ２７とが動作し、子機マイク２３が入力した来訪者の音声を親機スピーカ１４から出力し、カメラ２７が撮像した来訪者の映像をモニタ１７に表示する。【選択図】        図２
2010232837.tif 000002
【特許請求の範囲】
【請求項１】
室内に設置されたインターホン親機と、玄関に設置された玄関子機とを備え、前記玄関子機での呼出操作を契機に、前記インターホン親機と前記玄関子機が双方向の通話を行い、前記インターホン親機での終話操作を契機に、前記双方向の通話を終了するインターホンシステムにおいて、
前記終話操作から所定時間が経過するまでの間、前記インターホン親機のスピーカと前記玄関子機のマイクを動作させ、前記マイクが入力した音声を前記スピーカに出力させる制御を行う制御手段を備えたことを特徴とするインターホンシステム。
【請求項２】
室内に設置されたインターホン親機と、玄関に設置された玄関子機とを備え、前記玄関子機での呼出操作を契機に、前記インターホン親機と前記玄関子機が双方向の通話を行い、前記インターホン親機での終話操作を契機に、前記双方向の通話を終了するインターホンシステムにおいて、
前記終話操作から所定時間が経過するまでの間、前記インターホン親機のモニタと前記玄関子機のカメラを動作させ、前記カメラが撮像した映像を前記モニタに表示させる制御を行う制御手段を備えたことを特徴とするインターホンシステム。
【請求項３】
室内に設置されたインターホン親機と、玄関に設置された玄関子機とを備え、前記玄関子機での呼出操作を契機に、前記インターホン親機と前記玄関子機が双方向の通話を行い、前記インターホン親機での終話操作を契機に、前記双方向の通話を終了するインターホンシステムにおいて、
前記終話操作から所定時間が経過するまでの間、前記インターホン親機のスピーカおよびモニタと、前記玄関子機のマイクおよびカメラとを動作させ、前記マイクが入力した音声を前記スピーカに出力させるとともに、前記カメラが撮像した映像を前記モニタに表示させる制御を行う制御手段を備えたことを特徴とするインターホンシステム。
【請求項４】
前記終話操作が行われた時点で、前記制御手段が前記インターホン親機のマイクと前記玄関子機のスピーカを停止させる制御を行うことを特徴とする請求項１，２または３記載のインターホンシステム。
【発明の詳細な説明】
【技術分野】
【０００１】
本発明は、インターホン親機と玄関子機が双方向の通話を行うインターホンシステムに関し、特に、双方向の通話が終了した後の所定時間、玄関子機が入力した音声や映像をインターホン親機から出力する機能を備えたインターホンシステムに関する。
【背景技術】
【０００２】
従来、玄関子機での呼出操作を契機に、インターホン親機と玄関子機が双方向の通話を行い、インターホン親機での終話操作を契機に、双方向の通話を終了するインターホンシステムが知られている。例えば、図６に示す従来のインターホンシステム５１は、インターホン親機６０に居住者が操作する通話ボタン６１と終話ボタン６２とが設けられ、玄関子機７０に来訪者が操作する呼出ボタン７１が設けられている。
【０００３】
来訪者が呼出ボタン７１を操作すると、呼出信号が子機通信回路７６から親機通信回路６６に送信され、インターホン親機６０が玄関子機７０からの呼出状態になる。居住者が呼出しに応答して通話ボタン６１を操作すると、通話信号が親機通信回路６６から子機通信回路７６に送信され、インターホン親機６０と玄関子機７０とが双方向の通話状態となる。
【０００４】
この通話状態では、親機制御回路６９が親機マイク６３、親機スピーカ６４、モニタ６７を動作させ、子機制御回路７９が子機マイク７３、子機スピーカ７４、カメラ７７を動作させる。そして、親機音声回路６５と子機音声回路７５とが双方向に接続され、来訪者の音声が親機スピーカ６４から出力され、居住者の音声が子機スピーカ７４から出力される。また、子機映像回路７８が親機映像回路６８に一方向に接続され、来訪者の映像がモニタ６７に表示される。
【０００５】
居住者が終話ボタン６２を操作すると、親機制御回路６９が親機マイク６３、親機スピーカ６４、モニタ６７を直ちに停止し、終話信号を親機通信回路６６から子機通信回路７６に送信し、子機制御回路７９が子機マイク７３、子機スピーカ７４、カメラ７７を直ちに停止する。これにより、インターホン親機６０と玄関子機７０との双方向の通話が終了する。
【０００６】
なお、特許文献１および特許文献２には、呼出操作を契機に、インターホン親機と玄関子機に電源を供給し、終話操作を契機に、電源の供給を停止し、双方向通話を直ちに終了して、待機状態における電力消費量をゼロにするインターホンシステムが記載されている。
【先行技術文献】
【特許文献】
【０００７】
【特許文献１】特開２００１−１０３１６５号公報
【特許文献２】特開２００５−３４８３３３号公報
【発明の概要】
【発明が解決しようとする課題】
【０００８】
ところが、この種のインターホンシステムでは、双方向の通話を終了するタイミングが居住者によって判断されるため、来訪者が用件の全てを伝え終わる前に、居住者が誤った判断で終話ボタン６２を押し、通話を一方的に終了してしまうことがあった。こうした場合、従来のインターホンシステム５１によると、居住者は要件を伝え終えていない来訪者の様子を確認できないため、自ら通話を再開できず、来訪者に呼出ボタン７１の再操作を強いるという不都合があった。
【０００９】
本発明は、こうした不都合を解消するためになされたものであり、その目的は、居住者が通話を誤って終了してしまった場合でも、来訪者の音声や映像に基づいて、居住者が通話を速やかに再開できるインターホンシステムを提供することにある。
【課題を解決するための手段】
【００１０】
上記課題を解決するために、本発明は、室内に設置されたインターホン親機と、玄関に設置された玄関子機とを備え、玄関子機での呼出操作を契機に、インターホン親機と玄関子機が双方向の通話を行い、インターホン親機での終話操作を契機に、双方向の通話を終了するインターホンシステムにおいて、次のような手段を備えたことを特徴とする。
【００１１】
（１）終話操作から所定時間が経過するまでの間、インターホン親機のスピーカと玄関子機のマイクを動作させ、マイクが入力した音声をスピーカに出力させる制御を行う制御手段を備えたことを特徴とするインターホンシステム。
【００１２】
（２）終話操作から所定時間が経過するまでの間、インターホン親機のモニタと玄関子機のカメラを動作させ、カメラが撮像した映像をモニタに表示させる制御を行う制御手段を備えたことを特徴とするインターホンシステム。
【００１３】
（３）終話操作から所定時間が経過するまでの間、インターホン親機のスピーカおよびモニタと、玄関子機のマイクおよびカメラとを動作させ、マイクが入力した音声をスピーカに出力させるとともに、カメラが撮像した映像をモニタに表示させる制御を行う制御手段を備えたことを特徴とするインターホンシステム。
【００１４】
（４）上記（１）、（２）または（３）の制御手段が、終話操作が行われた時点で、インターホン親機のマイクと玄関子機のスピーカを停止させる制御を行うことを特徴とするインターホンシステム。
【００１５】
なお、上記（１）〜（４）のインターホンシステムにおいて、呼出操作を行う手段は、特に限定されず、例えば、来訪者が操作する呼出ボタン、来訪者を検知して呼出信号を発生するセンサなどを使用できる。終話操作を行う手段としては、居住者が操作するハンドセット、終話ボタン、通話と終話の２機能を備えた一つの通話ボタン、音声信号が所定時間を超えて中断したときに終話信号を発生するセンサなどを例示できる。
【発明の効果】
【００１６】
上記（１）のインターホンシステムによれば、終話操作から所定時間が経過するまでの間、玄関子機のマイクに入力された音声がインターホン親機のスピーカから出力されるので、居住者が通話を誤って終了してしまった場合でも、来訪者の音声に基づいて、居住者が通話を速やかに再開できるという効果がある。
【００１７】
上記（２）のインターホンシステムによれば、終話操作から所定時間が経過するまでの間、玄関子機のカメラで撮像された映像がインターホン親機のモニタに表示されるので、居住者が通話を誤って終了してしまった場合でも、来訪者の映像に基づいて、居住者が通話を速やかに再開できるという効果がある。
【００１８】
上記（３）のインターホンシステムによれば、終話操作から所定時間が経過するまでの間、玄関子機のマイクに入力された音声がインターホン親機のスピーカから出力されるとともに、玄関子機のカメラで撮像された映像がインターホン親機のモニタに表示されるので、居住者が通話を誤って終了してしまった場合でも、来訪者の音声と映像に基づいて、居住者が通話を速やかに再開できるという効果がある。
【００１９】
上記（４）のインターホンシステムによれば、終話操作が行われた時点で、インターホン親機のマイクと玄関子機のスピーカが停止するので、室内の音声を玄関子機に漏らすことなく、来訪者の音声を玄関子機からインターホン親機に伝えることができるという効果がある。
【図面の簡単な説明】
【００２０】
【図１】本発明の一実施形態を示すインターホンシステムの外観図である。
【図２】インターホン親機と玄関子機の電気的構成を示すブロック図である。
【図３】呼出操作を契機に始まる制御プログラムを示すフローチャートである。
【図４】インターホン親機と玄関子機の動作を示すタイムチャートである。
【図５】インターホン親機と玄関子機の別の動作を示すタイムチャートである。
【図６】従来のインターホンシステムを示すブロック図である。
【発明を実施するための形態】
【００２１】
以下、本発明の実施形態を図面に基づいて説明する。図１、図２に示すように、この実施形態のインターホンシステム１は、戸建住宅の室内に設置されるインターホン親機１０と、玄関に設置される玄関子機２０と、インターホン親機１０と玄関子機２０とを電気的に接続する配線ケーブル３０とから構成されている。配線ケーブル３０には、インターホン親機１０と玄関子機２０との間に双方向の通話路を形成する通信線と、インターホン親機１０から玄関子機２０に電力を供給する給電線とが含まれている。
【００２２】
玄関子機２０には、来訪者が居住者を呼び出すときに操作する呼出ボタン２１と、来訪者の音声を入力する子機マイク２３と、居住者の音声を出力する子機スピーカ２４と、子機マイク２３および子機スピーカ２４を駆動する子機音声回路２５と、親機通信回路１６との間で制御信号を送受信する子機通信回路２６と、来訪者を撮像するカメラ２７と、カメラ２７が撮像した映像信号を親機映像回路１８に送信する子機映像回路２８と、玄関子機２０の全体を制御する子機制御回路２９とが設けられている。
【００２３】
インターホン親機１０には、居住者が玄関子機２０からの呼び出しに応答して通話を開始するときに操作する通話ボタン１１と、その通話を終了するときに操作する終話ボタン１２と、居住者の音声を入力する親機マイク１３と、来訪者の音声や呼出音を出力する親機スピーカ１４と、親機マイク１３および親機スピーカ１４を駆動する親機音声回路１５と、玄関子機２０との間で制御信号を送受信する親機通信回路１６と、カメラ２７で撮像した来訪者の映像等を表示するモニタ１７と、モニタ１７を駆動する親機映像回路１８と、インターホン親機１０の全体を制御する親機制御回路１９とが設けられている。
【００２４】
インターホン親機１０の音声回路１５は、親機マイク１３が入力した音声信号を子機音声回路２５に送信する送話部１５ａと、子機音声回路２５から受信した音声信号を親機スピーカ１４に出力する受話部１５ｂとからなっている。同様に、玄関子機２０の音声回路２５には、子機マイク２３から入力した音声信号を親機音声回路１５に送信する送話部２５ａと、親機音声回路１５から受信した音声信号を子機スピーカ２４に出力する受話部２５ｂとからなっている。
【００２５】
次に、インターホンシステム１の動作を、主に図３、図４に従って説明する。来訪者が玄関子機２０の呼出ボタン２１を操作すると、呼出信号が子機通信回路２６から親機通信回路１６に送信され、インターホン親機１０が玄関子機２０からの呼出状態となる。そして、居住者が呼出音に応答し、インターホン親機１０の通話ボタン１１を操作すると、通話信号が親機通信回路１６から子機通信回路２６に送信される。
【００２６】
この呼出操作を契機に、親機制御回路１９は、双方向通話処理（図３：Ｓ３１）を実行し、親機音声回路１５の送話部１５ａを動作させて親機マイク１３をＯＮし、受話部１５ｂを動作させて親機スピーカ１４をＯＮし、親機映像回路１８を動作させてモニタ１７をＯＮする。同時に、子機制御回路２９に送信した通話信号により、子機音声回路２５の送話部２５ａを動作させて子機マイク２３をＯＮし、受話部２５ｂを動作させて子機スピーカ２４をＯＮし、子機映像回路２８を動作させてカメラ２７をＯＮする（図４参照）。
【００２７】
これにより、インターホン親機１０と玄関子機２０とが双方向の通話状態となり、子機マイク２３に入力された来訪者の音声が子機音声回路２５から親機音声回路１５に送信され、親機スピーカ１４から出力されるとともに、親機マイク１３に入力された居住者の音声が親機音声回路１５から子機音声回路２５に送信され、子機スピーカ２４から出力される。同時に、カメラ２７で撮像した来訪者の映像が子機映像回路２８から親機映像回路１８に送信され、モニタ２７に表示される。
【００２８】
居住者が通話の終了を判断し、終話ボタン１２を押すと（Ｓ３２）、親機制御回路１９は、一方向通話機能の有効または無効を確認する（Ｓ３３）。一方向通話機能は、終話ボタン１２が押された後の所定時間、玄関子機２０からインターホン親機１０への一方向通話と映像出力を可能にする機能であり、インターホン親機１０のメニューボタン３５（図１参照）にて、居住者により有効または無効が選択される。そして、一方向通話機能が有効である場合に、一方向通話処理（Ｓ３４）が実行され、無効である場合に、終話処理（Ｓ３７）が実行される。
【００２９】
一方向通話処理では、親機制御回路１９が親機音声回路１５の送話部１５ａを停止させて親機マイク１３をＯＦＦし、受話部１５ｂを動作させて親機スピーカ１４をＯＮし、親機映像回路１８を動作させてモニタ１７をＯＮする。同時に、子機制御回路２９に送信した制御信号により、子機音声回路２５の送話部２５ａを動作させて子機マイク２３をＯＮし、受話部２５ｂを停止させて子機スピーカ２４をＯＦＦし、子機映像回路２８を動作させてカメラ２７をＯＮする（図４参照）。
【００３０】
また、親機制御回路１９は、終話ボタン１２が押された時点でタイマを起動し（Ｓ３５）、例えば５秒の一方向通話時間を監視する（Ｓ３６）。そして、終話操作から一方向通話時間が経過するまでの間、親機スピーカ１４、モニタ１７、子機マイク２３、カメラ２７を継続的にＯＮする。これにより、子機マイク２３に入力された来訪者の音声が子機音声回路２５から親機音声回路１５に送信され、親機スピーカ１４から出力されるとともに、カメラ２７で撮像した来訪者の映像が子機映像回路２８から親機映像回路１８に送信され、モニタ１７に表示される。
【００３１】
したがって、来訪者が用件の全てを伝え終わる前に、居住者が誤った判断で終話ボタン１２を押してしまった場合でも、例えば５秒の間、音声と映像に基づいて、居住者は用件を伝え終えていない来訪者の様子を確認でき、再度通話ボタン１１を押して双方向の通話を速やかに再開することができる。また、終話ボタン１２が押された時点で、親機マイク１３と子機スピーカ２４が停止しているので、室内の音声を玄関子機２０に漏らすことなく、来訪者の音声を玄関子機２０からインターホン親機１０に伝えることができる。
【００３２】
一方向通話時間が経過すると、親機制御回路１９は、一方向通話機能の無効を確認した場合と同じ手順で、終話処理（Ｓ３７）を実行する。ここでは、親機マイク１３、親機スピーカ１４、モニタ１７がＯＦＦされ、終話信号が親機通信回路１６から子機通信回路２６に送信され、子機マイク２３、子機スピーカ２４、カメラ２７がＯＦＦされ、インターホンシステム１が呼出待機状態となる。
【００３３】
なお、本発明は上記実施形態に限定されるものではなく、以下に例示するように、発明の趣旨を逸脱しない範囲で、一方向通話機能を変更したり、インターホンシステムの用途を変更したりすることも可能である。
【００３４】
（１）図２に示すインターホンシステム１において、終話ボタン１２の操作を契機に、親機制御回路１９の制御により、親機スピーカ１４と子機マイク２３のみをＯＮし、終話操作から所定時間が経過するまでの間、親機スピーカ１４から出力される音声のみに基づいて、居住者が来訪者の様子を確認できるように構成すること。
【００３５】
（２）図２に示すインターホンシステム１において、終話ボタン１２の操作を契機に、親機制御回路１９の制御により、図５に示すように、モニタ１７とカメラ２７のみをＯＮし、終話操作から所定時間が経過するまでの間、モニタ１７に表示される映像のみに基づいて、居住者が来訪者の様子を確認できるように構成すること。
【００３６】
（３）図２に示すインターホンシステム１を集合住宅に適用し、インターホン親機１０を各住戸の室内に設置し、玄関子機２０を各住戸の玄関に設置し、上記実施形態と同様の一方向通話を行うこと。あるいは、インターホン親機１０を各住戸の室内に設置し、玄関子機２０を集合住宅の玄関に設置し、管理人室等に中継機を設置し、中継機の制御のもとで一方向通話を行うこと。
【符号の説明】
【００３７】
１    インターホンシステム
１０    インターホン親機
１１    通話ボタン
１２    終話ボタン
１３    親機マイク
１４    親機スピーカ
１５    親機音声回路
１７    モニタ
１８    親機映像回路
１９    親機制御回路
２０    玄関子機
２１    呼出ボタン
２３    子機マイク
２４    子機スピーカ
２５    子機音声回路
２７    カメラ
２８    子機映像回路
２９    子機制御回路
３０    配線ケーブル
【図１】
2010232837.tif 000003
【図２】
2010232837.tif 000004
【図３】
2010232837.tif 000005
【図４】
2010232837.tif 000006
【図５】
2010232837.tif 000007
【図６】
2010232837.tif 000008